(57)【要約】【課題】複雑な機構の操作部材を必要としない簡単な構成で、良好な操作が行えるようにする。【解決手段】調整位置または数値をユーザ操作に基づいて設定するための設定画面の表示処理と、その表示処理で表示した設定画面上のユーザ操作によるツマミの位置の変化に対応して、調整位置または数値を変更する制御処理とを含む。表示処理は、スライダ上をユーザ操作で移動するツマミの表示を行うと共に、ユーザ操作がない場合に、ツマミの位置をスライダ上のデフォルト位置とする。【選択図】図７
2014030290.tif 000002
【特許請求の範囲】
【請求項１】
調整位置または数値が設定可能な処理部と、
調整位置または数値の設定画面として、スライダ上をユーザ操作に応じて移動するツマミの表示を行うと共に、前記ユーザ操作がない場合に、前記ツマミの位置を前記スライダ上のデフォルト位置とする表示制御部と、
前記表示制御部の制御で表示した設定画面上のユーザ操作による前記ツマミの位置の変化に対応して、前記調整位置または数値を変更する動作制御部とを備える
電子機器。
【請求項２】
前記処理部は、ズームレンズのズーム位置またはフォーカスレンズのフォーカス位置を設定するレンズ駆動部である
請求項１記載の電子機器。
【請求項３】
前記表示制御部の制御で表示する設定画面は、前記デフォルト位置のツマミのタッチ検出またはクリック操作があった後、そのタッチ検出またはクリック操作があった位置を基点にした前記スライダ上のドラッグ操作で、前記ツマミの位置を変化させる
請求項１記載の電子機器。
【請求項４】
前記動作制御部は、前記ドラッグ操作が行われなくなったとき、直ちに前記調整位置または数値の変更を停止し、
前記表示制御部は、前記ドラッグ操作が行われなくなったとき、所定の時間をかけて、前記ツマミの表示位置を前記スライダ上のデフォルト位置に戻すようにした
請求項３記載の電子機器。
【請求項５】
前記表示制御部の制御で表示する設定画面は、前記スライダ上のタッチ検出またはクリック操作の検出で、その検出した位置に前記ツマミの位置を変化させる
請求項１記載の電子機器。
【請求項６】
前記ツマミの前記デフォルト位置からの移動量に応じて、前記動作制御部は、前記調整位置またはパラメータの変更速度を変化させる
請求項１記載の電子機器。
【請求項７】
前記表示制御部は、通信中の外部の端末装置が備える表示部に前記設定画面を表示させるサーバ機能部である
請求項１記載の電子機器。
【請求項８】
調整位置または数値をユーザ操作に基づいて設定するための設定画面として、スライダ上をユーザ操作で移動するツマミの表示を行うと共に、前記ユーザ操作がない場合に、前記ツマミの位置を前記スライダ上のデフォルト位置とする表示処理と、
前記表示処理で表示した設定画面上のユーザ操作による前記ツマミの位置の変化に対応して、前記調整位置または数値を変更する制御処理とを含む
機器操作方法。
【請求項９】
調整位置または数値をユーザ操作に基づいて設定するための設定画面として、スライダ上をユーザ操作で移動するツマミの表示を行うと共に、前記ユーザ操作がない場合に、前記ツマミの位置を前記スライダ上のデフォルト位置とする表示手順と、
前記表示手順により表示した設定画面上のユーザ操作による前記ツマミの位置の変化に対応して、前記調整位置または数値を変更する制御手順とを、
コンピュータに実行させるための
プログラム。
【発明の詳細な説明】
【技術分野】
【０００１】
本開示は、ビデオカメラなどの電子機器、および電子機器を操作する機器操作方法、並びに電子機器の操作を実行するプログラムに関する。
【背景技術】
【０００２】
従来、ビデオカメラにおいては、ズーム調整レバーやフォーカス調整レバーを設けて、ユーザによるそれぞれのレバーの操作で、レンズのズーム調整やフォーカス調整を行うようにしたものがある。
通常、ズーム調整レバーやフォーカス調整レバーは、ユーザが触れていない状態では中点に位置する。そして、ユーザが一方（＋方向）にレバーを押すことで、その押す強さに応じた速度で、ズームレンズやフォーカスレンズが一方に移動する。また、ユーザが他方（−方向）にレバーを押すことで、その押す強さに応じた速度で、ズームレンズやフォーカスレンズが逆方向（他方）に移動する。
このようなズーム調整レバーやフォーカス調整レバーがあるビデオカメラは、ユーザによるズームレンズやフォーカスレンズの調整が、それぞれのレバーの操作で簡単にできる。【０００３】
特許文献１には、ビデオカメラにズーム調整用のレバーを設けて、そのレバーの操作状態で可変速ズームを行う点についての記載がある。
【先行技術文献】
【特許文献】
【０００４】
【特許文献１】特開平６−２７３６５８号公報
【発明の概要】
【発明が解決しようとする課題】
【０００５】
上述したズーム調整レバーやフォーカス調整レバーは、ユーザがレバーを押した際の操作量を検出して、調整機構の駆動速度の調節を行う必要があり、比較的複雑な機構の操作部材である。＋方向の操作を指示するボタンと、−方向の操作を指示するボタンの２つのボタンを並べて配置することで、レバーの代わりにすることもできるが、この２つのボタンの場合には、＋方向の動きのオン・オフの指示と、−方向の動きのオン・オフの指示が行えるだけであり、ズームレンズやフォーカスレンズを駆動する速度の指示はできない。【０００６】
また、ビデオカメラは、ユーザがカメラ本体に配置されたキーなどで操作する場合の他に、リモートコントローラを使用して、外部から操作する場合もある。リモートコントローラを使用する場合、リモートコントローラにズーム調整レバーやフォーカス調整レバーに相当するレバーが配置されていないと、ズームレンズやフォーカスレンズを駆動する際の速度調整はできない。【０００７】
なお、ここまではビデオカメラを操作する場合について説明したが、同様の調整レバーにより操作が可能な各種電子機器には、同様の課題がある。【０００８】
本開示の目的は、複雑な機構の操作部材を必要としない簡単な構成で、良好な操作が行える電子機器、機器操作方法およびプログラムを提供することである。
【課題を解決するための手段】
【０００９】
本開示の電子機器は、調整位置または数値が設定可能な処理部を備えた電子機器である。そして、その電子機器の調整位置または数値の設定画面を表示させる表示制御部と、調整位置または数値を変更する動作制御部とを備える。
表示制御部は、調整位置または数値の設定画面として、スライダ上をユーザ操作で移動するツマミの表示を行うと共に、ユーザ操作がない場合に、ツマミの位置をスライダ上のデフォルト位置とする。
動作制御部は、表示制御部の制御で表示した設定画面上のユーザ操作によるツマミの位置の変化に対応して、調整位置または数値を変更する。【００１０】
本開示の機器操作方法は、調整位置または数値をユーザ操作に基づいて設定するための設定画面の表示処理と、その表示処理で表示した設定画面上のユーザ操作によるツマミの位置の変化に対応して、調整位置または数値を変更する制御処理とを含む。
表示処理は、スライダ上をユーザ操作で移動するツマミの表示を行うと共に、ユーザ操作がない場合に、ツマミの位置をスライダ上のデフォルト位置とする。【００１１】
本開示のプログラムは、表示手順と制御手順とを実行させるためのプログラムである。
表示手順は、調整位置または数値をユーザ操作に基づいて設定するための設定画面として、スライダ上をユーザ操作で移動するツマミの表示を行うと共に、ユーザ操作がない場合に、ツマミの位置をスライダ上のデフォルト位置とする。
制御手順は、表示手順により表示した設定画面上のユーザ操作によるツマミの位置の変化に対応して、調整位置またはパラメータを変更する。【００１２】
本開示によると、スライダ上を移動するツマミの位置が、無操作時に中央などのデフォルト位置になり、ユーザ操作時にその中央の位置からユーザ操作状態に応じて移動し、調整位置または数値が変化するようになる。そのため、ユーザがツマミの操作を行っている間だけ、調整位置またはパラメータが変化し、ユーザが操作を止めると、調整位置または数値の変化が停止する。
【発明の効果】
【００１３】
本開示によると、ユーザがツマミの操作を行っている間だけ、調整対象の調整位置または数値が変化し、ユーザが操作を止めると、調整位置または数値の変化が停止するようになる。このため、ユーザの意志を忠実に反映した良好な操作速度や操作方向などの設定が可能なり、良好な操作性が得られる。
【図面の簡単な説明】
【００１４】
【図１】本開示の一実施の形態による電子機器（ビデオカメラ）の構成例を示すブロック図である。
【図２】本開示の一実施の形態による端末装置の構成例を示すブロック図である。
【図３】本開示の一実施の形態による電子機器と端末装置の通信状態の例を示すシーケンス図である。
【図４】本開示の一実施の形態による端末装置の操作画面の表示例（例１）を示す説明図である。
【図５】本開示の一実施の形態による端末装置の操作画面の表示例（例２）を示す説明図である。
【図６】本開示の一実施の形態による制御処理例（例１）を示すフローチャートである。
【図７】図６の例による操作画面の例を示す説明図である。
【図８】スライド方向と駆動速度との関係の例を示す特性図である。
【図９】本開示の一実施の形態による制御処理例（例２）を示すフローチャートである。
【図１０】図９の例による操作画面の例を示す説明図である。
【発明を実施するための形態】
【００１５】
本開示の一実施の形態に係る電子機器、機器操作方法およびプログラムの例を、図面を参照しながら、以下の順で説明する。
１．ビデオカメラの構成例（図１）
２．端末装置の構成例（図２）
３．通信状態の例（図３）
４．操作画面の例（スマートフォンの例：図４）
５．操作画面の例（タブレット端末の例：図５）
６．ユーザ操作時の処理例（例１：図６〜図８）
７．ユーザ操作時の処理例（例２：図９〜図１０）
８．変形例
【００１６】
［１．ビデオカメラの構成例］
図１は、本開示の一実施の形態の例に係る電子機器の構成例を示す図である。ここでは、電子機器としてビデオカメラに適用した例を示す。
ビデオカメラ１００はイメージャ１２１を備え、装着されたレンズ部１１０で得た像光がイメージャ１２１に入射する。イメージャ１２１には、例えばＣＭＯＳ（Complementary Metal Oxide Semiconductor）イメージセンサやＣＣＤ（Charge Coupled Device）イメージセンサが使用される。
【００１７】
レンズ部１１０は、ズームレンズ１１１とフォーカスレンズ１１２とを備え、ズーム調整とフォーカス調整が可能なレンズである。ズームレンズ１１１は、ズームレンズ駆動部１１３により駆動される。フォーカスレンズ１１２は、フォーカスレンズ駆動部１１４により駆動される。また、ビデオカメラ１００は、ズームレンズ１１１やフォーカスレンズ１１２の位置を検出するセンサ１１５を備える。また、レンズ部１１０はアイリス１１６を備える。アイリス１１６は、アイリス駆動部１１７により駆動される。
ズームレンズ駆動部１１３やフォーカスレンズ駆動部１１４による各レンズの駆動は、制御部１３１からの指令により行われる。この場合、各駆動部１１３，１１４がズームレンズ１１１やフォーカスレンズ１１２の位置を移動させる速度が、制御部１３１からの指令で設定される。
アイリス駆動部１１７によるアイリスの駆動についても、制御部１３１からの指令により行われる。また、センサ１１５が検出したズームレンズ１１１やフォーカスレンズ１１２の位置のデータが、制御部１３１に伝送される。
【００１８】
イメージャ１２１が撮像して得た撮像信号が、撮像処理部１２２に供給される。撮像処理部１２２は、撮像信号に各種処理を施すと共に、撮像信号を所定のフォーマットの画像信号に変換する。後述するホワイトバランス調整についても、撮像処理部１２２が実行する。撮像処理部１２２が出力する画像信号が、記録再生部１２３に供給され、記録再生部１２３に接続されたモニタ１２４が画像の表示を行うと共に、記録メディア１２５が画像信号の記録を行う。記録メディア１２５は、例えば半導体メモリを内蔵したメモリカードや、ハードディスクドライブ装置などが使用される。また、ビデオカメラ１００は、図示しない出力端子から画像信号を出力することができる。
【００１９】
また、記録再生部１２３には、外部インターフェース部１２６を介して無線通信部１２７が接続してある。無線通信部１２７は、アンテナ１２８を備え、数ｍから数十ｍ程度の近距離の範囲内の相手と無線通信を行う。無線通信部１２７は、例えば無線ＬＡＮ（Local Area Network）の規格に準拠した無線通信を行う。ビデオカメラ１００は、この無線通信部１２７による無線通信を行い、このビデオカメラ１００内の処理ブロックの動作を指示する指令などを受信する。また、ビデオカメラ１００は、撮像して得た画像信号などを無線通信部１２７が無線送信する。無線通信部１２７が無線通信をする相手は、後述する端末装置２００の他に、無線ＬＡＮ用のアクセスポイントである場合もある。
【００２０】
ビデオカメラ１００の各部の動作を制御する動作制御部である制御部１３１は、内部バスラインを介してビデオカメラ１００内の各部と通信を行う。メモリ１３３には、制御部１３１が制御処理を行う上で必要なプログラムが記憶される。この場合、ビデオカメラ１００が無線通信部１２７を介して外部の端末装置と通信を行う際に、ビデオカメラがサーバとして機能するために必要なプログラムについても、メモリ１３３に記憶される。制御部１３１は、このサーバとして機能するために必要なプログラムを実行することで、ＨＴＴＰサーバ１３２が形成される。このＨＴＴＰサーバ１３２は、ＨＴＴＰ（HyperText Transfer Protocol）のプロトコルで、端末装置と通信を行うものである。本開示のビデオカメラ１００の場合、ＨＴＴＰサーバ１３２が外部の端末装置と通信を行うことで、外部の端末装置がビデオカメラ１００のリモートコントローラになる。ＨＴＴＰサーバ１３２は、操作画面の表示を制御する表示制御部として機能し、ＨＴＴＰサーバ１３２が、表示する操作画面を生成するのに必要なデータを外部の端末装置に送る。
【００２１】
また、ビデオカメラ１００は、操作部１３４を備える。操作部１３４は、操作キーやタッチパネルなどを有する。ユーザが操作部１３４を操作することで、制御部１３１に操作指令が届き、制御部１３１が指示された操作状態に各部を制御する。ＨＴＴＰサーバ１３２が外部の端末装置と通信を行った際に、外部の端末装置からＨＴＴＰサーバ１３２に操作指令が伝送される場合にも、同様に制御部１３１が指示された操作状態に各部を制御する。
【００２２】
［２．端末装置の構成例］
図２は、ビデオカメラ１００が無線通信を行う相手である端末装置２００の構成例を示す図である。端末装置２００は、スマートフォンと称される比較的小型の端末装置である場合と、タブレット端末と称される、比較的大型の表示パネルを備えた端末装置である場合とがある。いずれの場合でも、端末装置２００の内部の基本的な構成は同じであり、主な相違点は表示パネルのサイズである。
【００２３】
端末装置２００は、アンテナ２０１が接続された無線通信部２０２を備える。無線通信部２０２は、無線ＬＡＮの規格に準拠した無線通信を行う。無線通信部２０２での無線通信は、制御部２０５の制御下で実行される。また、制御部２０５は、表示部２１０の表示を制御する。
端末装置２００は、タッチパネル部２０３を備え、表示部２１０が備える表示パネル２１１（図４）の表面が指またはペンでタッチされたことを、タッチパネル部２０３が検出する。タッチパネル部２０３は、例えば、静電容量方式のものを使用する。タッチパネル部２０３が検出した検出信号が、制御部２０５に供給される。なお、表示部２１０とタッチパネル部２０３は、一体に構成される場合もある。また、端末装置２００は、操作キーなどが配置された操作部２０４を備える。操作部２０４がタッチパネルを備えてもよい。
【００２４】
端末装置２００は、例えばビデオカメラ１００と無線通信を行い、ビデオカメラ１００内のＨＴＴＰサーバ１３２にアクセスすることで、端末装置２００がビデオカメラ１００のリモートコントローラになる。すなわち、端末装置２００の制御部２０５がビデオカメラ１００のＨＴＴＰサーバ１３２にアクセスして、表示部２１０が操作画面を表示するのに必要なデータを制御部２０５が取得する。このときには、例えば制御部２０５がウェブブラウザのソフトウェア（プログラム）を使用して、ＨＴＴＰサーバ１３２にアクセスする。そして、その取得したデータに基づいた操作画面が、表示部２１０に表示される。操作画面の表示データは、ウェブブラウザの実行により生成される。この操作画面は、ビデオカメラ１００の状態をリアルタイムで反映したものであり、操作画面が調整状態などの値を表示する。
【００２５】
［３．通信状態の例］
図３は、ビデオカメラ１００の無線通信部１２７と、端末装置２００の無線通信部２０２とが、無線通信を行う場合の手順を示す図である。
まず、端末装置２００の制御部２０５が、ビデオカメラ１００のＨＴＴＰサーバ１３２にアクセスする（ステップＳ１１）。その後、ＨＴＴＰサーバ１３２と制御部２０５とで、相互に相手の認証処理を行う（ステップＳ１２）。このとき、ＨＴＴＰサーバ１３２は、アクセスがあった端末装置２００についての詳細を認識する。具体的には、ＨＴＴＰサーバ１３２は、スマートフォンと称される比較的小型の表示パネルを備えた端末装置からのアクセスであるか、あるいは、タブレット端末と称される比較的大型の表示パネルを備えた端末装置からのアクセスであるかを判断する。この判断により、ＨＴＴＰサーバ１３２は、端末装置２００に送信する操作画面を、該端末装置２００の画面の仕様に対応したものに設定する。それぞれの操作画面の具体例は後述する。
【００２６】
ＨＴＴＰサーバ１３２は、認証処理が完了すると、操作画面のデータの端末装置２００への送信を開始する（ステップＳ１３）。操作画面のデータを端末装置２００が受信することで、表示部２１０に操作画面が表示される。
そして、タッチパネル部２０３が、操作画面に表示されたボタンやツマミに対するタッチ操作を検出すると（ステップＳ１４）、制御部２０５が、その検出したタッチ操作に基づいた操作指令を生成し、操作指令がＨＴＴＰサーバ１３２に伝送される（ステップＳ１５）。なお、タッチパネル部２０３が連続したユーザ操作を検出したときには、例えば１００ミリ秒程度の一定間隔で操作指令がＨＴＴＰサーバ１３２に伝送される。
【００２７】
操作指令を受信したＨＴＴＰサーバ１３２は、その操作指令を制御部１３１に伝え、制御部１３１が操作指令に対応した指令を、ビデオカメラ１００内の各処理部に伝送する（ステップＳ１６）。この指令を受信したビデオカメラ１００内の各処理部は、指令に基づく処理を実行する。例えば、ＨＴＴＰサーバ１３２が、ズーム操作に関する指令を受信したとき、制御部１３１が、そのズーム操作指令に基づいたズームレンズ駆動指令をズームレンズ駆動部１１３に伝送する。また、ＨＴＴＰサーバ１３２が、フォーカス操作に関する指令を受信したとき、制御部１３１が、そのフォーカス操作指令に基づいたフォーカスレンズ駆動指令をフォーカスレンズ駆動部１１４に伝送する。
また、ＨＴＴＰサーバ１３２は、受信した操作指令に基づいて、端末装置２００に伝送する操作画面のデータを更新する。
【００２８】
［４．操作画面の例］
図４は、端末装置２００の表示パネル２１１が表示する操作画面を示す図である。図４の例は、スマートフォンと称される比較的小型の表示パネル２１１を備えた端末装置２００の場合である。
このスマートフォンの場合には、表示モードにより４種類の操作画面が表示される。図４Ａ〜Ｄは、この４種類の操作画面を示すものである。いずれの操作画面を表示する場合であっても、表示パネル２１１は、画面の上端に、端末装置２００自身の状態を示すステータスバー３１０が表示される。ステータスバー３１０は、電池残量，現在時刻，無線通信状態などを図形や数字などで示す。このステータスバー３１０は、端末装置２００の制御部２０５が表示内容を更新する。ステータスバー３１０以外の表示箇所は、ビデオカメラ１００側から伝送されるデータにより表示内容が更新される。
【００２９】
図４Ａは、レンズ操作画面である。このレンズ操作画面は、画面の下側のレンズタブ３３１がユーザによりタッチ操作されたとき表示される。レンズ操作画面の上側には、録画キー３２１とロックキー３２２とが表示される。録画キー３２１は、録画の開始や停止を指示するキーである。ロックキー３２２は、録画キー３２１のロックおよび解除を指示するキーである。ロックキー３２２は、ユーザがタッチ位置を右横にスライドさせることで、ロックまたは解除の指示が行われる。この録画キー３２１とロックキー３２２は、４種類の操作画面のいずれを表示するモードの場合でも表示される。
【００３０】
また、レンズ操作画面は、オートアイリスキー３２３と、オートフォーカスキー３２４と、アイリス調整用スライダ３４０と、フォーカス調整用スライダ３５０と、ズーム調整用スライダ３６０とを表示する。また、レンズ操作画面は、アイリス調整値表示部３４２と、フォーカス調整値表示部３５２と、ズーム調整値表示部３６２とを表示する。これらの調整値表示部３４２，３５２，３６２は、各スライダ３４０，３５０，３６０の左脇に配置される。アイリス調整値表示部３４２は、Ｆ値を表示する。フォーカス調整値表示部３５２と、ズーム調整値表示部３６２は、センサ１１５が検出したレンズ位置に対応した値を表示する。レンズ位置のそれぞれの値は、例えば０〜９９の範囲の値として、フォーカス調整状態やズーム調整状態の目安が判るようにする。あるいは、センサ１１５が、フォーカスレンズの合焦距離やズームレンズの焦点距離を検出できる場合には、それらの値を各調整値表示部３５２，３６２が表示してもよい。
【００３１】
オートアイリスキー３２３がユーザによるタッチ操作で選択されたとき、ビデオカメラ１００は、レンズ部１１０のアイリス１１６の調整値を自動で設定する。オートフォーカスキー３２４がユーザによるタッチ操作で選択されたとき、ビデオカメラ１００は、レンズ部１１０のフォーカスレンズ１１２の調整値を自動で設定する。
【００３２】
アイリス調整用スライダ３４０の上には、ツマミ３４１を表示する。アイリス調整用スライダ３４０上のツマミ３４１の表示位置が、アイリス１１６の調整状態に対応する。アイリス調整用スライダ３４０は、一定間隔の目盛りを有する。
図４Ａの例では、ツマミ３４１は、アイリス調整用スライダ３４０上のほぼ中央に配置された状態を示すが、アイリス１１６の調整状態により、アイリス調整用スライダ３４０上のツマミ３４１の位置が変化する。したがって、ツマミ３４１が図４Ａに示すように中央に配置されるのは１つの例であり、アイリス１１６の調整状態により、ツマミ３４１の位置は随時変化する。
なお、オートアイリスキー３２３のユーザ操作でオートアイリスモードが設定されている場合には、アイリス調整用スライダ３４０上のツマミ３４１が、本来の輝度よりも低い輝度で表示される。このように低い輝度でツマミ３４１が表示されることで、アイリスのユーザ操作ができないモードであることが告知される。
【００３３】
フォーカス調整用スライダ３５０は、ツマミ３５１を表示する。このツマミ３５１は、ユーザ操作が行われていない状態では、フォーカス調整用スライダ３５０上の中央の基準となるデフォルト位置に配置してある。そして、ユーザがツマミ３５１をデフォルト位置からスライドさせるドラッグ操作を行ったとき、そのツマミ３５１が移動した方向と移動量に対応して、フォーカスレンズ１１２の駆動が行われる。ユーザがツマミ３５１のタッチ操作を止めたとき、ツマミ３５１の表示位置はデフォルト位置に戻り、フォーカスレンズ１１２の駆動が停止する。
なお、オートフォーカスキー３２４のユーザ操作でオートフォーカスモードが設定されている場合には、フォーカス調整用スライダ３５０上のツマミ３５１が、本来の輝度よりも低い輝度で表示される。このように低い輝度でツマミ３５１が表示されることで、フォーカスのユーザ操作ができないモードであることが告知される。
【００３４】
ズーム調整用スライダ３６０は、ツマミ３６１を表示する。このツマミ３６１は、ユーザ操作が行われていない状態では、ズーム調整用スライダ３６０上の中央の特定位置（デフォルト位置）に配置してある。そして、ユーザがツマミ３６１をデフォルト位置からスライドさせるドラッグ操作を行ったとき、そのツマミ３６１が移動した方向と移動量に対応して、ズームレンズ１１１の駆動が行われる。ユーザがツマミ３６１のタッチ操作を止めたとき、ツマミ３６１の表示位置はデフォルト位置に戻り、ズームレンズ１１１の駆動が停止してズームレンズ１１１はタッチ操作を止めた時点の位置で停止する。フォーカス調整用スライダ３５０とズーム調整用スライダ３６０については、一定間隔の目盛りがなく、デフォルト位置を示す印だけを有する。
なお、このツマミ３５１，３６１をタッチ操作したときの動作については、図６のフローチャートで詳細に説明する。
【００３５】
図４Ｂは、ホワイトバランス操作画面である。このホワイトバランス操作画面は、画面の下側のホワイトバランスタブ３３２がユーザによりタッチ操作されたとき表示される。ホワイトバランス操作画面は、オートトラッキングホワイトバランス（ＡＴＷ）キー３２５と、オートホワイトバランス（ＡＴＷ）キー３２５と、Ｒゲイン調整用スライダ３７０と、Ｂゲイン調整用スライダ３８０とを表示する。また、ホワイトバランス操作画面は、Ｒゲイン調整値表示部３７２と、Ｂゲイン調整値表示部３８２とを表示する。これらの調整値表示部３７２，３８２は、Ｂゲイン調整用スライダ３８０の左脇に配置される。
【００３６】
Ｒゲイン調整用スライダ３７０は、ツマミ３７１を表示し、Ｒゲイン調整用スライダ３７０上のツマミ３７１の表示位置が、Ｒゲインの調整状態に対応する。Ｂゲイン調整用スライダ３８０は、ツマミ３８１を表示し、Ｂゲイン調整用スライダ３８０上のツマミ３８１の表示位置が、ゲインの調整状態に対応する。Ｒゲイン調整用スライダ３７０とＢゲイン調整用スライダ３８０は、一定間隔の目盛りを有する。
【００３７】
図４Ｃは、再生操作画面である。この再生操作画面は、画面の下側の再生タブ３３３がユーザによりタッチ操作されたとき表示される。再生操作画面には、ビデオカメラ１００の記録メディア１２５が記録した画像信号の各種再生状態や再生停止などを指示する複数の再生操作キー３９１が表示される。
【００３８】
図４Ｄは、インフォメーション画面である。このインフォメーション画面は、画面の下側のインフォメーションタブ３３４がユーザによりタッチ操作されたとき表示される。インフォメーション画面は、通信相手のビデオカメラ１００の型式名とシリアル番号などを表示するインフォメーション部３９２を備える。インフォメーション部３９２は、ビデオカメラ１００をリモートコントロールすることが可能か否かの情報についても表示する。
【００３９】
［５．操作画面の例］
図５は、ビデオカメラ１００と無線通信を行う端末装置２００が、タブレット端末である場合の、操作画面の例である。
このタブレット端末の場合には、比較的大型の表示パネル２１１′を備えるため、１つの操作画面で全ての表示が行われる。すなわち、タブレット端末の場合には、図４Ａ〜Ｄに示すスマートフォン用の４つの操作画面を１つに集約した表示が行われる。
【００４０】
具体的には、表示パネル２１１′には、画面の上端に、端末装置２００自身の状態を示すステータスバー４１０が表示される。また、録画キー４２１とロックキー４２２とが表示される。
そして、表示パネル２１１′には、アイリス調整用スライダ４３０と、フォーカス調整用スライダ４４０と、ズーム調整用スライダ４５０と、Ｒゲイン調整用スライダ４６０と、Ｂゲイン調整用スライダ４７０とが表示される。それぞれの調整用スライダ４３０，４４０，４５０，４６０，４７０は、ツマミ４３１，４４１，４５１，４６１，４７１を表示する。
なお、フォーカス調整用スライダ４４０のツマミ４４１とズーム調整用スライダ４５０のツマミ４５１は、スライダ上の中央をデフォルト位置に設定してあり、ユーザがドラッグ操作を行ったときだけ、デフォルト位置から移動する。
各調整用スライダ４３０，４４０，４５０，４６０，４７０の左脇には、調整値表示部３４２，４４２，４５２，４６２，４７２が表示される。
【００４１】
また、表示パネル２１１′には、オートアイリスキー４８１と、オートフォーカスキー４８２と、オートトラッキングホワイトバランスキー４８３と、オートホワイトバランスキー４８４とが表示される。
さらに、表示パネル２１１′には、複数の再生操作キー４９１と、インフォメーション部４９２とが表示される。
【００４２】
［６．ユーザ操作時の処理例：例１］
次に、図６のフローチャートに基づいて、ユーザが操作画面をタッチして操作した場合の処理例（例１）を説明する。
ここでは、図４Ａに示すレンズ操作画面内のフォーカス調整用スライダ３５０上のツマミ３５１をユーザがタッチ操作した場合とする。なお、図４Ａに示すレンズ操作画面内のズーム調整用スライダ３６０上のツマミ３６１をユーザがタッチ操作した場合にも、同様の処理動作が行われる。
【００４３】
まず、端末装置２００の制御部２０５は、フォーカス調整用スライダ３５０のセンタのデフォルト位置のツマミ３５１にユーザの指などのタッチがあるか否かを判断する（ステップＳ２１）。この判断で、ツマミ３５１にタッチがないと判断した場合には、フォーカス調整を行わないで待機する。
そして、ステップＳ２１でタッチがあると判断したときには、制御部２０５は、そのデフォルト位置（センタ位置）からフォーカス調整用スライダ３５０に沿ってタッチ位置をスライドさせるドラッグ操作があるか否かを判断する（ステップＳ２２）。ドラッグ操作がない場合には、制御部２０５はステップＳ２１の判断に戻る。
【００４４】
そして、ステップＳ２２でドラッグ操作があると判断した場合には、制御部２０５はそのドラッグ操作が行われたタッチ位置の変化に追随して、ツマミ３５１のフォーカス調整用スライダ３５０上の表示位置を変更させる（ステップＳ２３）。さらに制御部２０５は、センタからのドラッグ操作があった方向とドラッグ操作でスライドした量に基づいて、方向と速度を指示する指令を生成し、その指令をビデオカメラ１００側に送信する（ステップＳ２４）。この指令の送信は、タッチ操作が継続している間、一定周期（例えば１００ミリ秒）で行われる。
【００４５】
その後、制御部２０５は、ユーザによるツマミ３５１のタッチが継続しているか否かを判断する（ステップＳ２５）。ここで、タッチが継続していると判断したとき、制御部２０５は、タッチ位置に変化があるか否かを判断し（ステップＳ２６）、タッチ位置に変化がない場合には、ステップＳ２５の判断に戻る。また、ステップＳ２６でタッチ位置に変化があると判断した場合には、制御部２０５は、ステップＳ２３の判断に戻る。
そして、ステップＳ２５でツマミ３５１のタッチが終了したと判断したとき、制御部２０５からビデオカメラ１００側への指令の送信が停止する（ステップＳ２７）。また、ビデオカメラ１００側のＨＴＴＰサーバ１３２からの指示に基づいて、ツマミ３５１の表示位置が、センタのフォルト位置に戻る（ステップＳ２８）。その後、制御部２０５は、ステップＳ２１の判断に戻る。
【００４６】
図７Ａの表示例は、フォーカス調整用スライダ３５０のセンタのデフォルト位置のツマミ３５１にユーザの指ｆ１がタッチした状態を示す。この指ｆ１がツマミ３５１の表示位置にタッチすることで、制御部２０５は、ステップＳ２１からステップＳ２２の判断に移行する。
【００４７】
図７Ｂの表示例は、指ｆ２のタッチ位置がデフォルト位置を基点としてフォーカス調整用スライダ３５０に沿って右側にスライドしたときの状態を示す。このようにタッチ位置がスライドすることで、フォーカスレンズ１１２のフォーカス調整位置が＋方向（ここでは遠方）で、そのスライド量に対応した速度のフォーカス調整指令が端末装置２００からビデオカメラ１００に伝送される。タッチ位置がセンタからスライドする方向が図７Ｂの例とは逆である場合には、フォーカスレンズ１１２のフォーカス調整位置が−方向（ここでは近方）のフォーカス調整指令になる。
この図７Ｂに示す状態で、ユーザの指によるタッチ位置が変化したときには、そのタッチ位置に応じて、フォーカス調整指令の速度や方向が変化する。
【００４８】
図７Ｃの表示例は、ユーザの指ｆ３が画面から離れた状態を示す。ユーザの指ｆ３が画面から離れると同時に、フォーカス調整指令の伝送が停止する。そして、図７Ｃに示すように、ツマミ３５１の位置がデフォルト位置に自動的に戻る。このときには、ツマミ３５１が図７Ｂに示すスライド位置からデフォルト位置に、若干の時間（例えば０．５秒程度の時間）をかけて徐々に移動させる。このように若干の時間をかけてツマミ３５１が元のデフォルト位置に戻ることで、ツマミ３５１の動きがユーザにわかり易く告知され、良好な表示形態となる。そして、フォーカス調整指令の伝送については、ユーザの指ｆ３が画面から離れると同時に送信が停止するため、ユーザが意図した通りの状態に正確に調整できる。したがって、ビデオカメラ１００は、タッチパネルを使用して、メカ的な調整レバーを設けた場合と同様の操作性が得られる。
【００４９】
なお、ユーザの指ｆ３が画面から離れた際には、直ちにツマミ３５１が元のデフォルト位置に戻るようにしてもよい。また、ユーザ操作によるモード切替えで、ツマミ３５１が元のデフォルト位置に戻る際の速さが、自由に調整できるようにしてもよい。
また、図７Ｃでは、ユーザの指ｆ３が画面から離れた場合に、ツマミ３５１がデフォルト位置に戻る様子を説明したが、ユーザの指ｆ３がタッチする画面上の位置が、ツマミ３５１の表示位置以外になったときにも、ツマミ３５１は元のデフォルト位置に戻る。
【００５０】
図８は、フォーカス調整用スライダ３５０上のデフォルト位置（センタ位置）から、タッチ操作でツマミ３５１を移動させたときの画面上の移動量と、フォーカスレンズ駆動部１１４によるフォーカスレンズ１１２の駆動速度との特性Ｖａを示す図である。
図８の横軸は、センタ位置（０と示す位置）からのツマミ３５１のシフト量（シフト距離）を示す。図８の縦軸は、それぞれのシフト量のときの指令で設定されるフォーカスレンズ１１２の駆動速度を示す。フォーカスレンズ１１２の駆動方向は、センタ位置を境にして逆になる。
図８に特性Ｖａとして示すように、センタ位置からの距離が長くなるに従って、駆動速度が徐々に高速になるようにし、逆にセンタからの位置からの距離が短い場合には、駆動速度が低速になるようにしてある。このような曲線の特性Ｖａを設定することで、遠いフォーカス位置に高速で移動させる操作と、合焦点などの近傍で微妙なフォーカス調整を行う操作とが両立できる。
図８に示す曲線の速度変化特性Ｖａは１つの例であり、例えば、シフト量と駆動速度とが直線的に変化する特性としてもよい。
【００５１】
なお、図６〜図８では、ユーザが操作画面上のフォーカス調整用スライダ３５０を操作したときの動作を説明したが、ユーザが操作画面上のズーム調整用スライダ３６０を操作したときについても、同様の動作が行われる。すなわち、ズーム調整用スライダ３６０上のツマミ３６１についても、ユーザ操作がない状態では、センタ位置に表示させる。そして、センタ位置からツマミ３６１をスライドさせるユーザ操作があったとき、端末装置２００は、ズームレンズ１１１の駆動速度と駆動方向を指示するズーム調整指令を伝送する。さらに、ユーザの指が操作画面から離れたとき、端末装置２００は、ズーム調整指令の出力を停止し、ツマミ３６１の表示位置をセンタ位置に戻す処理を行う。
このようにズーム操作に適用することで、ユーザが意図した通りのズーム状態に正確に調整できる。
【００５２】
図４に示すその他の調整用スライダ３４０，３７０，３８０については、ツマミ３４１，３７１，３８１がそのときの調整状態を示す位置とする。図４の例の場合、ツマミがデフォルト位置に戻るスライダであることは、スライダ上の目盛りの有無で区別できる。
【００５３】
図５に示すタブレット端末用の操作画面での操作についても、同様の処理を適用する。すなわち、図５に示すタブレット端末用の操作画面内のフォーカス調整用スライダ４４０と、ズーム調整用スライダ４５０について、図６のフローチャートに示す処理を行う。フォーカス調整用スライダ４４０とズーム調整用スライダ４５０以外の調整用スライダ４３０，４６０，４７０については、ツマミ４３１，４６１，４７１がそのときの調整状態を示す位置になる。
【００５４】
［７．ユーザ操作時の処理例：例２］
次に、図９のフローチャートおよび図１０の表示例に基づいて、ユーザが操作画面をタッチして操作した場合の処理例（例２）を説明する。図９のフローチャートにおいて、図６のフローチャートと同じ処理には同じステップ番号を付与する。
例１の場合には、最初にユーザがフォーカス調整用スライダ３５０上のデフォルト位置のツマミ３５１をタッチすることで、ツマミ３５１が位置を移動できるようにした。これに対して、例２の場合には、フォーカス調整用スライダ３５０上のデフォルト位置にツマミ３５１が配置された状態で、ユーザがフォーカス調整用スライダ３５０上の任意の箇所をタッチしたとき、そのタッチ位置にツマミ３５１が移動するようにしたものである。
【００５５】
すなわち、図９に示すように、端末装置２００の制御部２０５は、フォーカス調整用スライダ３５０のいずれかの位置にユーザの指などのタッチがあるか否かを判断する（ステップＳ３１）。この判断で、フォーカス調整用スライダ３５０のいずれかの位置にタッチがないと判断した場合には、フォーカス調整を行わないで待機する。
そして、ステップＳ３１でタッチがあると判断した場合、制御部２０５は、ツマミ３５１のフォーカス調整用スライダ３５０上の表示位置を、タッチに変更させる（ステップＳ２３）。このときには、ツマミ３５１は、例えばデフォルト位置からタッチ位置に直ちに移動するようにする。あるいは、ある程度の時間をかけて、ツマミ３５１がデフォルト位置からタッチ位置に移動するようにしてもよい。
ステップＳ２３以降の処理は、図６のフローチャートと同じである。
【００５６】
図１０Ａの表示例は、フォーカス調整用スライダ３５０上のセンタ以外の特定位置にユーザの指ｆ１１がタッチした状態を示す。このように指ｆ１１がタッチすることで、制御部２０５は、ステップＳ３１でのタッチ検出が行われる。
【００５７】
この図１０Ａに示す状態のタッチ検出が行われることで、操作画面は、図１０Ｂに示す状態に変化する。すなわち、ツマミ３５１の表示位置が、フォーカス調整用スライダ３５０上のタッチ位置ｔに変化する。そして、このときのツマミ３５１の位置に対応した方向と速度のフォーカス調整指令が端末装置２００からビデオカメラ１００に伝送されるようになる。
【００５８】
ユーザの指が操作画面から離れた場合の処理は、図７に示す例１と同じである。
すなわち、図１０Ｃに示すように、ユーザの指ｆ１２が画面から離れると同時に、フォーカス調整指令の伝送が停止する。そして、図１０Ｃに示すように、ツマミ３５１の位置がデフォルト位置に自動的に戻る。このとき、ツマミ３５１が図１０Ｂに示すスライド位置からデフォルト位置に、決められた時間をかけて徐々に移動させる。あるいは、ユーザの指ｆ１２が画面から離れた際に、直ちにツマミ３５１が元のデフォルト位置に戻るようにする。
【００５９】
図９および図１０で説明した例２の場合には、操作の最初にツマミ３５１をスライドさせる操作が必要ない。このため、例２の場合には、例１より迅速な操作が可能になる。但し、フォーカス調整用スライダ３５０上の位置に指が触れるだけで、直ちに操作が行われるため、誤操作が行われる可能性がある。このため、例１の処理と例２の処理は、ユーザ操作で選択できるようにするのが好ましい。
すなわち、操作モードの選択ができるようにして、第１のモードを選択したとき、制御部２０５は、図６のフローチャートの処理を実行し、第２のモードを選択したとき、制御部２０５は、図９のフローチャートの処理を実行する。このように選択できることで、端末装置２００は、ユーザが好みの操作性が得られる。
【００６０】
［８．変形例］
なお、上述した実施の形態の例では、ビデオカメラ１００をリモートコントロールする端末装置２００の表示パネル２１１が、操作画面を表示する際の処理に、本開示の技術を適用した。これに対して、例えばビデオカメラ１００の操作部１３４が、タッチパネル付の表示パネルを備えて、そのビデオカメラ本体の表示パネルで、同様の操作画面が表示されるようにしてもよい。この場合には、例えばビデオカメラ１００の制御部１３１の制御下で、操作画面が表示される。
【００６１】
また、上述した実施の形態の例では、ビデオカメラ１００がＨＴＴＰサーバ１３２として機能する制御部１３１を備えて、端末装置２００が持つウェブブラウザのプログラムを使用して、端末装置２００がＨＴＴＰサーバ１３２にアクセスするようにした。これに対して、端末装置やコンピュータ装置がリモートコントロール用の専用のプログラムを持つようにして、そのプログラムが実装された装置がリモートコントローラとして作動するようにしてもよい。この場合には、プログラムが図６や図９に示す手順を実行するようにすればよい。
制御部１３１が備えるＨＴＴＰサーバ１３２についても１つの例であり、その他のプロトコルで通信を行うサーバとしてもよい。例えば、サーバとして、リモートコントロール用の専用のプログラムの実行でアクセスされる方式のものを用意してもよい。
【００６２】
また、上述した実施の形態の例では、ビデオカメラ１００のレンズ部１１０のズームレンズ１１１やフォーカスレンズ１１２を調整する場合の、操作画面の表示に本開示の技術を適用した。これに対して、その他の位置やパラメータの調整を行う際の操作画面に適用してもよい。
例えば、ユーザが、電子機器が備える時計機能を用いて現在時刻や予約時刻などの数値を入力する際に、時計の制御部が、フォーカス調整用スライダ３５０と同様の時刻調整用スライダを表示させる。そして、時計の制御部が、そのスライダ上のツマミのデフォルト位置からのシフト量に対応して、時刻が変化する速度や方向を設定する。
時刻以外の各種パラメータなどの数値の設定を行う際にも、同様の処理を適用してもよい。
このようにすることで、操作画面のタッチ操作で、各種数値入力が容易に行えるようになる。
【００６３】
また、上述した実施の形態の例では、ユーザが指で操作画面をタッチした場合の例について説明した。これに対して、専用のタッチペンなどを使用して操作画面をタッチするようにしてもよい。さらに、タッチ操作以外の方法で、操作画面上のツマミなどを選択するようにしてもよい。
例えば、端末装置２００には、マウスなどのポインティングデバイスを接続する。そして、そのポインティングデバイスによる画面上のカーソル位置の設定とクリック操作後のドラッグ操作で、フォーカス調整用スライダ３５０のツマミ３５１などを選択したとき、図６のフローチャートに示す処理を行うようにする。このようにすることで、本開示の処理が、表示部がタッチパネルを備えない端末装置やコンピュータ装置にも適用できる。
【００６４】
また、上述した実施の形態の例では、電子機器としてビデオカメラの操作に適用した例を示した。これに対して、その他の各種電子機器に適用してもよい。端末装置についても、上述したスマートフォンやタブレット端末以外の端末装置に適用してもよい。例えば、パーソナルコンピュータ装置を端末装置に適用してもよい。
【００６５】
なお、本開示は以下のような構成も取ることができる。
（１）
調整位置または数値が設定可能な処理部と、
調整位置または数値の設定画面として、スライダ上をユーザ操作に応じて移動するツマミの表示を行うと共に、前記ユーザ操作がない場合に、前記ツマミの位置を前記スライダ上のデフォルト位置とする表示制御部と、
前記表示制御部の制御で表示した設定画面上のユーザ操作による前記ツマミの位置の変化に対応して、前記調整位置または数値を変更する動作制御部とを備える
電子機器。
（２）
前記処理部は、ズームレンズのズーム位置またはフォーカスレンズのフォーカス位置を設定するレンズ駆動部である
前記（１）記載の電子機器。
（３）
前記表示制御部の制御で表示する設定画面は、前記デフォルト位置のツマミのタッチ検出またはクリック操作があった後、そのタッチ検出またはクリック操作があった位置を基点にした前記スライダ上のドラッグ操作で、前記ツマミの位置を変化させる
前記（１）または（２）記載の電子機器。
（４）
前記動作制御部は、前記ドラッグ操作が行われなくなったとき、直ちに前記調整位置または数値の変更を停止し、
前記表示制御部は、前記ドラッグ操作が行われなくなったとき、所定の時間をかけて、前記ツマミの表示位置を前記スライダ上のデフォルト位置に戻すようにした
前記（３）に記載の電子機器。
（５）
前記表示制御部の制御で表示する設定画面は、前記スライダ上のタッチ検出またはクリック操作の検出で、その検出した位置に前記ツマミの位置を変化させる
前記（１）〜（４）のいずれか１項に記載の電子機器。
（６）
前記ツマミの前記デフォルト位置からの移動量に応じて、前記動作制御部は、前記調整位置またはパラメータの変更速度を変化させる
前記（１）〜（５）のいずれか１項に記載の電子機器。
（７）
前記表示制御部は、通信中の外部の端末装置が備える表示部に前記設定画面を表示させるサーバ機能部である
前記（１）〜（６）のいずれか１項に記載の電子機器。
（８）
調整位置または数値をユーザ操作に基づいて設定するための設定画面として、スライダ上をユーザ操作で移動するツマミの表示を行うと共に、前記ユーザ操作がない場合に、前記ツマミの位置を前記スライダ上のデフォルト位置とする表示処理と、
前記表示処理で表示した設定画面上のユーザ操作による前記ツマミの位置の変化に対応して、前記調整位置または数値を変更する制御処理とを含む
機器操作方法。
（９）
調整位置または数値をユーザ操作に基づいて設定するための設定画面として、スライダ上をユーザ操作で移動するツマミの表示を行うと共に、前記ユーザ操作がない場合に、前記ツマミの位置を前記スライダ上のデフォルト位置とする表示手順と、
前記表示手順により表示した設定画面上のユーザ操作による前記ツマミの位置の変化に対応して、前記調整位置または数値を変更する制御手順とを、
コンピュータに実行させるための
プログラム。
【００６６】
さらに、本発明の請求項に記載した構成や処理は、上述した実施の形態の例に限定されるものではない。本発明の要旨を逸脱しない限り、種々の改変、組み合わせ、他の実施の形態例が生じうることは、当業者にとって当然のことと理解される。
【符号の説明】
【００６７】
１００…ビデオカメラ、１１０…レンズ部、１１１…ズームレンズ、１１２…フォーカスレンズ、１１３…ズームレンズ駆動部、１１４…フォーカスレンズ駆動部、１１５…センサ、１２１…イメージャ、１２２…撮像処理部、１２３…記録再生部、１２４…モニタ、１２５…記録メディア、１２６…外部インターフェース部、１２７…無線通信部、１２８…アンテナ、１３１…制御部、１３２…ＨＴＴＰサーバ、１３３…メモリ、１３４…操作部、２００…端末装置、２０１…アンテナ、２０２…無線通信部、２０３…タッチパネル部、２０４…操作キー、２０５…制御部、２０６…メモリ、２１０…表示部、２１１，２１１′…表示パネル、３４０…アイリス調整用スライダ、３４１…ツマミ、３４２…アイリス調整値表示部、３５０…フォーカス調整用スライダ、３５１…ツマミ、３５２…フォーカス調整値表示部、３６０…ズーム調整用スライダ、３６１…ツマミ、３６２…ズーム調整値表示部、４３０…アイリス調整用スライダ、４３１…ツマミ、４３２…アイリス調整値表示部、４４０…フォーカス調整用スライダ、４４１…ツマミ、４４２…フォーカス調整値表示部、４５０…ズーム調整用スライダ、４５１…ツマミ、４５２…ズーム調整値表示部
【図１】
2014030290.tif 000003
【図２】
2014030290.tif 000004
【図３】
2014030290.tif 000005
【図４】
2014030290.tif 000006
【図５】
2014030290.tif 000007
【図６】
2014030290.tif 000008
【図７】
2014030290.tif 000009
【図８】
2014030290.tif 000010
【図９】
2014030290.tif 000011
【図１０】
2014030290.tif 000012
【手続補正書】
【提出日】平成27年12月2日(2015.12.2)
【手続補正１】
【補正対象書類名】特許請求の範囲
【補正対象項目名】全文
【補正方法】変更
【補正の内容】
【特許請求の範囲】
【請求項１】
調整位置または数値が設定可能な処理部と、
調整位置または数値の設定画面として、スライダ上をユーザ操作に応じて移動するツマミの表示を行うと共に、前記ユーザ操作がない場合に、前記ツマミの位置を前記スライダ上のデフォルト位置とする表示制御部と、
前記表示制御部の制御で表示した設定画面上のユーザ操作による前記ツマミの位置の変化に対応して、前記調整位置または数値を変更する動作制御部とを備え、
前記表示制御部の制御で表示する設定画面は、前記デフォルト位置のツマミのタッチ検出またはクリック操作があった後、そのタッチ検出またはクリック操作があった位置を基点にした前記スライダ上のドラッグ操作で、前記ツマミの位置を変化させ、
前記動作制御部は、前記ドラッグ操作が行われなくなったとき、直ちに前記調整位置または数値の変更を停止し、
前記表示制御部は、前記ドラッグ操作が行われなくなったとき、所定の時間をかけて、前記ツマミの表示位置を前記スライダ上のデフォルト位置に戻すようにした
電子機器。
【請求項２】
調整位置または数値が設定可能な処理部と、
調整位置または数値の設定画面として、スライダ上をユーザ操作に応じて移動するツマミの表示を行うと共に、前記ユーザ操作がない場合に、前記ツマミの位置を前記スライダ上のデフォルト位置とする表示制御部と、
前記表示制御部の制御で表示した設定画面上のユーザ操作による前記ツマミの位置の変化に対応して、前記調整位置または数値を変更する動作制御部とを備え、
前記動作制御部は、前記ユーザ操作が行われなくなったとき、直ちに前記調整位置または数値の変更を停止し、
前記表示制御部は、前記ユーザ操作が行われなくなったとき、所定の時間をかけて、前記ツマミの表示位置を前記スライダ上のデフォルト位置に戻すようにした
電子機器。
【請求項３】
前記処理部は、ズームレンズのズーム位置またはフォーカスレンズのフォーカス位置を設定するレンズ駆動部である
請求項１又は２に記載の電子機器。
【請求項４】
前記ツマミの前記デフォルト位置からの移動量に応じて、前記動作制御部は、前記調整位置またはパラメータの変更速度を変化させる
請求項１又は２に記載の電子機器。
【請求項５】
前記表示制御部は、通信中の外部の端末装置が備える表示部に前記設定画面を表示させるサーバ機能部である
請求項１又は２に記載の電子機器。
【請求項６】
調整位置または数値をユーザ操作に基づいて設定するための設定画面として、スライダ上をユーザ操作で移動するツマミの表示を行うと共に、前記ユーザ操作がない場合に、前記ツマミの位置を前記スライダ上のデフォルト位置とする表示処理と、
前記表示処理で表示した設定画面上のユーザ操作による前記ツマミの位置の変化に対応して、前記調整位置または数値を変更する制御処理とを含み、
前記制御処理では、前記ユーザ操作が行われなくなったとき、直ちに前記調整位置または数値の変更を停止し、
前記表示処理では、前記ユーザ操作が行われなくなったとき、所定の時間をかけて、前記ツマミの表示位置を前記スライダ上のデフォルト位置に戻すようにした
機器操作方法。
【請求項７】
調整位置または数値をユーザ操作に基づいて設定するための設定画面として、スライダ上をユーザ操作で移動するツマミの表示を行うと共に、前記ユーザ操作がない場合に、前記ツマミの位置を前記スライダ上のデフォルト位置とする表示手順と、
前記表示手順により表示した設定画面上のユーザ操作による前記ツマミの位置の変化に対応して、前記調整位置または数値を変更する制御手順とを、
コンピュータに実行させるためのプログラムであって、
前記制御手順では、前記ユーザ操作が行われなくなったとき、直ちに前記調整位置または数値の変更を停止し、
前記表示手順では、前記ユーザ操作が行われなくなったとき、所定の時間をかけて、前記ツマミの表示位置を前記スライダ上のデフォルト位置に戻すようにした
プログラム。
【国際調査報告】
2014030290.tif 000013
2014030290.tif 000014